(57)【特許請求の範囲】
【請求項１】
半潜水式船体主構造、養殖用網いけす構造、再生可能エネルギー発電システム、および錨泊システムを含み、
前記半潜水式船体主構造は、前記養殖用網いけす構造と前記再生可能エネルギー発電システムと前記錨泊システムとを支持し、かつ、複数の船室を含み、各船室内部のバラスト水量が調節されることにより浮沈し、
前記養殖用網いけす構造は、立面網状構造と底部網状構造とを含み、前記立面網状構造と前記底部網状構造とは、前記半潜水式船体主構造上に連結されており、底面と立面とはあるが上面はない網いけすを形成し、
前記再生可能エネルギー発電システムは、波力発電システムと太陽光発電システムとを含み、前記波力発電システムは前記半潜水式船体主構造の前端及び後端に設置され、前記太陽光発電システムは、前記半潜水式船体主構造の頂部に設置され、
前記錨泊システムは、前記半潜水式船体主構造の頂部の四隅に設置され、
前記半潜水式船体主構造は、骨組み式はしけ（１）を含み、前記骨組み式はしけ（１）は、縦向き右側筒状フロート（１０１）と、縦向き左側筒状フロート（１０２）と、横向き前端筒状フロート（１０３）と、横向き中部筒状フロート（１０４）と、横向き後端筒状フロート（１０５）とを含み、前記骨組み式はしけ（１）の骨組みの間に前端板状構造（１０６）と後端板状構造（１０７）が設けられ、前記縦向き右側筒状フロート（１０１）の両端及び前記縦向き左側筒状フロート（１０２）の両端は、抗力を低減する尖頭の形状に形成されており、
前記骨組み式はしけ（１）の上部に縦向きに沿って前方右部弓形支柱（２０１）、前方左部支柱弓形支柱（２０２）、前方右部支柱（３０１）、前方中部支柱（３０２）、前方左部支柱（３０３）、中方右部支柱（４０１）、中心支柱（４０２）、中方左部支柱（４０３）、後方右部支柱（５０１）、後方中部支柱（５０２）、後方左部支柱（５０３）、後方右部弓形支柱（６０１）、および後方左部弓形支柱（６０２）が設けられ、各フロート及び各支柱の内部を複数の独立した調節可能船室に分け、内部の水量を給水又は排水して調整することにより、浮力を調節し、
前記前方右部支柱（３０１）、前記前方中部支柱（３０２）、前記前方左部支柱（３０３）の頂部に横向きに沿って前記骨組み式はしけ（１）幅に前方横付き頂部船室（１２）が設けられ、前記中方右部支柱（４０１）、前記中心支柱（４０２）、及び前記中方左部支柱（４０３）の頂部に横向きに沿って骨組み式はしけ（１）幅に中方横付き頂部船室（１４）が設けられ、前記後方右部支柱（５０１）、前記後方中部支柱（５０２）、及び前記後方左部支柱（５０３）の頂部に横向きに沿って骨組み式はしけ（１）幅に後方横付き頂部船室（１５）が設けられ、
前記前方横付き頂部船室（１２）と前記中方横付き頂部船室（１４）との間に前方右縦頂部船室（１３１）と前方左縦頂部船室（１３２）とが設けられ、前記後方横付き頂部船室（１５）と前記中方横付き頂部船室（１４）との間に後方右縦頂部船室（１３３）と後方左縦頂部船室（１３４）とが設けられ、前記前方横付き頂部船室（１２）と前記前方右部弓形支柱（２０１）との間に前方右部弓形連結船室（１１１）が設けられ、前記前方横付き頂部船室（１２）と前記前方左部支柱弓形支柱（２０２）との間に前方左部支柱弓形連結船室（１１２）が設けられ、前記後方横付き頂部船室（１５）と前記後方右部弓形支柱（６０１）との間に後方右部弓形連結船室（１５１）が設けられ、前記後方横付き頂部船室（１５）と前記後方左部弓形支柱（６０２）との間に後方左部弓形連結船室（１５２）が設けられ、
前記養殖用網いけす構造は、前記立面網状構造（３４）と、前記底部網状構造（１０８）と、前記底部網状構造（１０９）とを含み、
骨組み式はしけ（１）の底部骨組みの間に底部網状構造（１０８）及び底部網状構造（１０９）が設けられており、
前記前方右部支柱（３０１）、前記前方中部支柱（３０２）、前記横向き前端筒状フロート（１０３）、および前記前方横付き頂部船室（１２）の間にも、前記前方左部支柱（３０３）、前記前方中部支柱（３０２）、前記横向き前端筒状フロート（１０３）、および前記前方横付き頂部船室（１２）の間にも、前記中方右部支柱（４０１）、前記中心支柱（４０２）、前記横向き前端筒状フロート（１０３）、および前記前方横付き頂部船室（１２）の間にも、前記中方左部支柱（４０３）、前記中心支柱（４０２）、前記横向き中部筒状フロート（１０４）、および前記中方横付き頂部船室（１４）の間にも、前記後方右部支柱（５０１）、前記後方中部支柱（５０２）、前記横向き後端筒状フロート（１０５）、および前記後方横付き頂部船室（１５）の間にも、前記後方左部支柱（５０３）、前記後方中部支柱（５０２）、前記横向き後端筒状フロート（１０５）、および前記後方横付き頂部船室（１５）の間にも、前記立面網状構造（３４）が設けられており、
前記波力発電システムは、前端鷹式波吸収浮体（９）と、トラス式スウェイブレース（９０１）と、ヒンジ（１０）と、後端鷹式波吸収浮体（１７）と、トラス式スウェイブレース（１７１）と、ヒンジ（１８）と、油圧シリンダ（１９）と、油圧シリンダ（２８）とを含み、
前記前方右部弓形支柱（２０１）と前記前方左部支柱弓形支柱（２０２）との間に前記前端鷹式波吸収浮体（９）が設けられ、前記前端鷹式波吸収浮体（９）は、前記トラス式スウェイブレース（９０１）と連結され、前記ヒンジ（１０）を介して前記前方右部支柱（３０１）と、前記前方中部支柱（３０２）と、前記前方左部支柱（３０３）との間に設けられ、前記後方右部弓形支柱（６０１）と前記後方左部弓形支柱（６０２）との間に前記後端鷹式波吸収浮体（１７）が設けられ、前記後端鷹式波吸収浮体（１７）は、前記トラス式スウェイブレース（１７１）に連結され、前記ヒンジ（１８）を介して前記後方右部支柱（５０１）と、前記後方中部支柱（５０２）と、前記後方左部支柱（５０３）との間に設けられ、
前記前端鷹式波吸収浮体（９）の裏部と前記前方横付き頂部船室（１２）との間に前記油圧シリンダ（１９）が設けられ、前記前方横付き頂部船室（１２）には、前記油圧シリンダ（１９）のベースを取り付けるためのＡ字型強度構造体が設けられ、前記後端鷹式波吸収浮体（１７）の裏部と前記後方横付き頂部船室（１５）との間に前記油圧シリンダ（２８）が設けられ、前記後方横付き頂部船室（１５）には、前記油圧シリンダ（２８）のベースを取り付けるためのＡ字型強度構造体が設けられている、
ことを特徴とする波力発電・太陽光発電一体型半潜水式沖合養殖用網いけす。
【請求項２】
前記太陽光発電システムは、複数のソーラールーム（２０）と、安全柵（２１）と、マスト（２２）とを含み、
前記前方横付き頂部船室（１２）、前記中方横付き頂部船室（１４）、前記後方横付き頂部船室（１５）、前記前方右縦頂部船室（１３１）、前記前方左縦頂部船室（１３２）、前記後方右縦頂部船室（１３３）、及び前記後方左縦頂部船室（１３４）の頂部には、横向きに沿って複数の前記ソーラールーム（２０）と、前記安全柵（２１）とが設置されており、前記中方横付き頂部船室（１４）の中間に前記マスト（２２）が設けられている、
ことを特徴とする請求項１に記載の波力発電・太陽光発電一体型半潜水式沖合養殖用網いけす。
【請求項３】
前記錨泊システムは、前方右部ウィンドラス（２３１）と、前方左部支柱ウィンドラス（２３２）と、後方右部ウィンドラス（２９１）と、後方左部ウィンドラス（２９２）と、前方右部アンカーチェーン（２４１）と、アンカーチェーンチューブ（２５１）と、前方右部ローラー（２６１）と、前方右部アンカー（２７１）と、前方右部垂直アンカーチェーンチューブ（４２１）と、前方右部アンカーチェーン船室（７０１）と、前方左部支柱アンカーチェーン（２４２）と、アンカーチェーンチューブ（２５２）と、前方左部支柱ローラー（２６２）と、前方左部支柱アンカー（２７２）と、前方左部支柱垂直アンカーチェーンチューブ（４２２）と、前方左部支柱アンカーチェーン船室（７０２）と、後方右部アンカーチェーン（３０１）と、後方右部アンカーチェーンチューブ（４３１）と、後方右部ローラー（３２１）と、後方右部アンカー（３３１）と、後方右部垂直アンカーチェーンチューブ（４３１）と、後方右部アンカーチェーン船室（８０１）と、後方左部アンカーチェーン（３０２）と、後方左部アンカーチェーンチューブ（４３２）と、後方左部ローラー（３２２）と、後方左部アンカー（３３２）と、後方左部垂直アンカーチェーンチューブ（４３２）と、後方左部アンカーチェーン船室（８０２）と、を含み、
前記前方横付き頂部船室（１２）の左右両側それぞれに前記前方右部ウィンドラス（２３１）、及び前方左部支柱ウィンドラス（２３２）が設けられ、前記後方横付き頂部船室（１５）の左右両側それぞれに前記後方右部ウィンドラス（２９１）、及び後方左部ウィンドラス（２９２）が設けられ、前記前方右部ウィンドラス（２３１）に前記前方右部アンカーチェーン（２４１）が配置され、前記前方右部アンカーチェーン（２４１）の一端は、前方右部弓形連結船室（１１１）と前記前方右部弓形支柱（２０１）との内部に取り付けられた前記アンカーチェーンチューブ（２５１）を介して上部デッキから前記縦向き右側筒状フロート（１０１）の前端に到達し、前記前方右部ローラー（２６１）を介して前記前方右部アンカー（２７１）と連結され、前記前方右部アンカーチェーン（２４１）の他端は、前記前方右部垂直アンカーチェーンチューブ（４２１）を介して前記前方右部アンカーチェーン船室（７０１）内部と連結され、前記前方左部支柱ウィンドラス（２３２）に前記前方左部支柱アンカーチェーン（２４２）が配置され、前記前方左部支柱アンカーチェーン（２４２）の一端は、前記前方左部支柱弓形連結船室（１１２）と前記前方左部支柱弓形支柱（２０２）との内部に取り付けられた前記アンカーチェーンチューブ（２５２）を介して上部デッキから前記縦向き左側筒状フロート（１０２）の前端に到達し、前記前方左部支柱ローラー（２６２）を介して前記前方左部支柱アンカー（２７２）と連結され、前記前方左部支柱アンカーチェーン（２４２）の他端は、前記前方左部支柱垂直アンカーチェーンチューブ（４２２）を介して前記前方左部支柱アンカーチェーン船室（７０２）内部と連結され、前記後方右部ウィンドラス（２９１）に前記後方右部アンカーチェーン（３０１）が配置され、前記後方右部アンカーチェーン（３０１）の一端は、前記後方右部弓形連結船室（１５１）と前記後方右部弓形支柱（６０１）との内部に取り付けられた前記後方右部アンカーチェーンチューブ（４３１）を介して上部デッキから前記縦向き右側筒状フロート（１０１）の後端に到達し、前記後方右部ローラー（３２１）を介して前記後方右部アンカー（３３１）と連結され、前記後方右部アンカーチェーン（３０１）の他端は、前記後方右部垂直アンカーチェーンチューブ（４３１）を介して前記後方右部アンカーチェーン船室（８０１）の内部と連結され、前記後方左部ウィンドラス（２９２）に前記後方左部アンカーチェーン（３０２）が配置され、前記後方左部アンカーチェーン（３０２）の一端は、前記後方左部弓形連結船室（１５２）と前記後方左部弓形支柱（６０２）との内部に取り付けられた前記後方左部アンカーチェーンチューブ（４３２）を介して上部デッキから前記縦向き左側筒状フロート（１０１）の後端に到達し、前記後方左部ローラー（３２２）を介して前記後方左部アンカー（３３２）と連結され、前記後方左部アンカーチェーン（３０２）の他端は、前記後方左部垂直アンカーチェーンチューブ（４３２）を介して前記後方左部アンカーチェーン船室（８０２）の内部と連結される、
ことを特徴とする請求項２に記載の波力発電・太陽光発電一体型半潜水式沖合養殖用網いけす。
【発明の詳細な説明】
【技術分野】
【０００１】
本発明は再生可能エネルギー発電技術分野に関し、特に波力発電・太陽光発電一体型半潜水式沖合養殖用網いけすに関する。
【背景技術】
【０００２】
最近２０年間に、海上養殖業は大きく成長し、海洋国家は海湾内に多様なタイプの養殖用網いけすを続々と設置した。そのために過剰に養殖が行われ、水質が汚染されたり、魚の病気が多発したりする等の深刻な問題が発生している。政府と養殖業者とが沖合での養殖を積極的に推進しているが、大きな効果は見られない。その要因は、下記の通りである。１．海上の風波が大きいため、構造が簡単で材質が悪い通常の網いけすでは魚が生き残れない。また、一度の高潮で網いけすが壊れるといった事例が頻発し、養殖業者に多大な損失をもたらす。２．人員と物資とを輸送するための距離が長い。通常の網いけすでは、養殖する人員のための住居を設置することができず、養殖用の餌や食料等の物資を保管することができない。そのため、毎日船で物資と人員とを運ぶと、養殖コストが大幅に高くなる。３．沖合網いけすは、十分なエネルギーを供給することができないため養殖機械設備を有効に使用することができず、養殖での量産化生産が実現できない。燃油を用いた発電は、養殖エリアの水質を汚染するとともに、比較的に小さい空間で大きな騒音を生む。そのため、魚類の成長と養殖人員の生活に悪影響を及ぼす。
【発明の概要】
【発明が解決しようとする課題】
【０００３】
従来技術の不足に対して、本発明の目的は、波力発電・太陽光発電一体型半潜水式沖合養殖用網いけすを提供することにより、養殖用網いけすを従来の海湾だけでなく、沖合、深海等での養殖を実現できるようにする。また、海上養殖用網いけすに十分なエネルギーを供給できない、養殖機械を設置できない、風波エリアで実施できない、即座に網いけすを移動させることができない等の、長期にわたって海上養殖業の発展を妨げてきた重大な問題を解決することにある。
【課題を解決するための手段】
【０００４】
上記目的を実現するために、本発明は以下の解決手段を講じる。
波力発電・太陽光発電一体型半潜水式沖合養殖用網いけすは、半潜水式船体主構造、養殖用網いけす構造、再生可能エネルギー発電システムおよび錨泊システムを含み、
前記半潜水式船体主構造は、前記養殖用網いけす構造と前記再生可能エネルギー発電システムと前記錨泊システムとを支持し、かつ、複数の船室を含み、各船室内部のバラスト水量が調節されることにより浮沈し、
前記養殖用網いけす構造は、立面網状構造と底部網状構造とを含み、前記立面網状構造と前記底部網状構造とは、前記半潜水式船体主構造上に連結されており、底面と立面とはあるが上面はない網いけすを形成し、
前記再生可能エネルギー発電システムは、波力発電システムと太陽光発電システムとを含み、前記波力発電システムは前記半潜水式船体主構造の前端及び後端に設置され、前記太陽光発電システムは、前記半潜水式船体主構造の頂部に設置され、
前記錨泊システムは、前記半潜水式船体主構造の頂部の四隅に設置される。
【発明の効果】
【０００５】
従来技術と比べて本発明の有益な効果は以下の通りである。
本発明における波力発電・太陽光発電一体型半潜水式沖合養殖用網いけすは、従来型養殖用網いけすと比べて次の明確な利点がある。
１．本発明の波力発電・太陽光発電一体型半潜水式沖合養殖用網いけすは、部品に鋼材を使用できる骨組み式主体構造であり、使用材料を節約でき、製造も簡単である。造船基準に従い本発明の沖合養殖用網いけすを製造すれば、使用寿命は２５〜３０年に達するため、本発明の実現により、現在の養殖用網いけすの使用寿命が１〜２年しかないという状況を根本から改善することができる。
２．装置は船舶と同じように移動することができるため、台風等の自然災害がある場合は場所を変えて回避させることができる。これにより、自然災害を回避するために必要なエネルギーは普通船舶と同じであるため、一度の高潮で収穫ができなくなるという現状を根本から改善できる。
３．本発明は波力発電と太陽光発電を一体化し、現場で利用することができる再生可能エネルギーを用いて電力供給を実現している。これにより、沖合網いけすで使用する電力を供給することができ、沖合網いけすにエネルギーを供給することができないという問題を根本から解決することができる。同時に、波力発電時に波を抑える機能を果たすことができ、本発明の信頼性と安定性とを高めることができる。
４．本発明における半潜水式沖合養殖用網いけすは一隻の船のように浮くため、曳航、点検、メンテナンス、網いけす内のゴミ清掃、消毒等の作業が行える。また、潜水後は沖合養殖用網いけすとなるため、工程の利便性が大幅に高まる。
【図面の簡単な説明】
【０００６】
【図１】本発明の実施の形態における波力発電・太陽光発電一体型半潜水式沖合養殖用網いけすの側面図。
【図２】本発明の実施の形態における波力発電・太陽光発電一体型半潜水式沖合養殖用網いけすの上面図。
【図３】図１におけるＡ−Ａ部分の側面図と上面図。
【図４】図１におけるＢ−Ｂ部分の側面図と上面図。
【図５】図１におけるＣ−Ｃ部分の側面図と上面図。
【図６】本発明の実施の形態における波力発電・太陽光発電一体型半潜水式沖合養殖用網いけすを沈める前の状態を示す模式図。
【図７】本発明の実施の形態における波力発電・太陽光発電一体型半潜水式沖合養殖用網いけすを沈めた後の状態を示す模式図。
【図８】本発明の実施の形態における波力発電・太陽光発電一体型半潜水式沖合養殖用網いけすを単独で使用した時の状態を示す模式図。
【図９】複数の本発明の実施の形態における波力発電・太陽光発電一体型半潜水式沖合養殖用網いけすが一つに連結されて構成された多体養殖場を示す模式図。
【発明を実施するための形態】
【０００７】
以下に具体的な実施形態を用いて本発明を詳細に説明する。
【０００８】
本発明の実施の形態における波力発電・太陽光発電一体型半潜水式沖合養殖用網いけすは、機能ごとに以下の４つの部分に分けることができる。
【０００９】
第１部分は、半潜水式船体主構造である。第１部分は、主に、骨組み式はしけ１、前方右部弓形支柱２０１、前方左部支柱弓形支柱２０２、前方右部支柱３０１、前方中部支柱３０２、前方左部支柱３０３、中方右部支柱４０１、中心支柱４０２、中方左部支柱４０３、後方右部支柱５０１、後方中部支柱５０２、後方左部支柱５０３、後方右部弓形支柱６０１、後方左部弓形支柱６０２、前方横付き頂部船室１２、中方横付き頂部船室１４、後方横付き頂部船室１５、前方右縦頂部船室１３１、前方左縦頂部船室１３２、後方右縦頂部船室１３３、後方左縦頂部船室１３４、前方右部弓形連結船室１１１、前方左部支柱弓形連結船室１１２、後方右部弓形連結船室１５１、及び後方左部弓形連結船室１５２により構成されている。前記各部品により強力な骨組み立体構造が構成され、当該構造は強度が高く、安定性に優れ、材料を節約することができる。半潜水式船体主構造は、本発明の実施の形態における波力発電・太陽光発電一体型半潜水式沖合養殖用網いけすの輸送、曳航、メンテナンス、搭載設備を支持し、各船室内部のバラスト水量を調整することにより、本発明の実施の形態の沖合養殖用網いけすの浮き沈みを実現できる。本発明の実施の形態の沖合養殖用網いけすを海に設置する前に、骨組み式はしけ１によりいけす全体を水面に浮かべる。これにより、作業人員は、普通の船舶と同様に本発明の実施の形態の沖合養殖用網いけす上に乗り、様々な作業を行うことができる。本発明の実施の形態の沖合養殖用網いけすを指定海域に設置する時は、ポンプで船室内へ水を供給して半潜水式船体主構造の浮力を減らし、ゆっくりといけすを設計した作業位置まで沈ませる。船室内へポンプで給水する際、水位を下からゆっくりと上にあげ、バランスを保つことに注意する。半潜水式船体内は、構造ごとに複数の独立した船室を設置しており、給・排水パイプと給・排気パイプとが各船室内にまで伸びている。中心支柱４０２内にポンプ室を設置し、ポンプ室内に給・排水用ポンプ、パイプライン、弁、弁の油圧ポンプ所、および給・排水制御システムを設置する。ポンプ室内のパイプラインは、各独立船室内の給・排水パイプと接続されている。給・排水パイプとポンプと接続させるか否かを、制御弁の開閉で制御する。これにより、ポンプは、各独立船室内に注水でき、また各独立船室内の水を排水することができる。各独立船室内の給・排気パイプは本発明の実施の形態の沖合養殖用網いけすの頂部まで直接伸びており、外気に通じている。
【００１０】
第２部分は、養殖用網いけす構造である。養殖用網いけす構造は、前方右部支柱３０１、前方中部支柱３０２、横向き前端筒状フロート１０３、前方横付き頂部船室１２の間で、前方左部支柱３０３、中方右部支柱４０１、中心支柱４０２、中方左部支柱４０３、横向き中部筒状フロート１０４、中方横付き頂部船室１４の後方右部支柱５０１、後方中部支柱５０２、横向き後端筒状フロート１０５、後方横付き頂部船室１５、後方左部支柱５０３、立面網状構造３４、前中底部網状構造１０８および中後底部網状構造１０９間で２つの底面と立面はあるが上面はない網いけすを形成し、中方右部支柱４０１と中心支柱４０２間の立面網状構造３４、中心支柱４０２と中方左部支柱４０３間の立面網状構造３４を取り除き、２つの網いけすを合わせて１つの網いけすとするこことができる。もし網状構造の網目のサイズが適していなければ、養殖業者はニーズに従い立面網状構造に異なる網目サイズの網をかぶせて、異なるサイズまたは種類の魚の養殖に適用することができる。網状構造は、沖合網いけすを浮動式網から固定式網に変えることができる。これにより、大波により浮動式網が大きく動き、内部の魚を死なせてしまうといった問題を回避することができる。同時に網の使用寿命を大きく伸ばすことができ、従来の網いけすでは頻繁に網を変えなければならないといった問題点を改善し、網の使用コストを下げることができる。
【００１１】
第３部分は、再生可能エネルギー発電システムであり、主に波力発電システムと太陽光発電システムとにより構成される。本発明の実施の形態における半潜水式沖合養殖用網いけすの前端には、前端鷹式波吸収浮体９が取り付けられ、前端鷹式波吸収浮体９はトラス式スウェイブレース９０１と連結される。波浪作用においてヒンジ１０を中心に回転運動を繰り返し、駆動装置を、前端鷹式波吸収浮体９の裏部と前方横付き頂部船室１２との間の油圧シリンダ１９に取り付けて油圧シリンダ１９を繰り返し運動させる。これにより、波力を油圧エネルギーに変換することができる。構造船室の内部に取り付けられたエネルギーをシステムに変換し、油圧エネルギーを電気エネルギーに変換する。本発明の実施の形態における半潜水式沖合養殖用網いけすの後端にも、後端鷹式波吸収浮体１７が同様に取り付けられており、同じ原理に基づいて波力を電気エネルギーに変換する。前端・後端鷹式波吸収浮体は１セットの同じエネルギー変換システムを共用できる。このような構成により、複数の鷹式波吸収浮体が吸収したエネルギーを集めた後に、集中的に発電することができる。本発明の実施の形態における半潜水式沖合養殖用網いけすの頂部には、大量のソーラーパネルが取り付けてられており、太陽光エネルギーを電気エネルギーに変換して使用することができる。再生可能エネルギー発電システムにおいて、波力と太陽光エネルギーによって発電した電気が、通常の用途以上にある場合、余った電気は蓄電池内に充電され、波力と太陽光エネルギーの供給が弱い時に使用することができる。太陽光パネルを取り付ける以外に、本発明の実施の形態における半潜水式沖合養殖用網いけすの頂部には、小型の風力エネルギー発電機を取り付ける。海洋には多くの波力、太陽光エネルギーおよび風力エネルギーが存在する。本発明の実施の形態に係る沖合養殖用網いけすは、設置箇所の環境下にある再生可能エネルギーを利用して、網いけすで働く作業員の生産、生活に用いられる電力を供給する。即ち、電力を供給をするとともに環境を汚染することがない。本発明の実施の形態における波力発電、太陽光発電一体型半潜水式沖合養殖用網いけすは、供用時に必要とする電力を完全に満たすことができる上に、多くの余剰電力を生みだすことができる。発電設備は発電と同時に消波の役割も果たし、養殖エリアの浪を抑制し、魚の成長を促すのに役立つ。
【００１２】
養殖用網いけすは、全体を船舶と同じように水面に浮かせて停泊できるため、曳航とメンテナンスとを容易に行える。また、設計した水位まで沈めれば、半潜水式放電装置と養殖用網いけすとになる。
【００１３】
養殖用網いけす構造と再生可能エネルギー発電システムは、ニーズに応じて拡張することができる。具体的には、半潜水式船体主構造中部の２つの網いけすエリアはニーズに応じて左右両側に拡張することができ、２つの網いけすエリアを６つの網いけすエリアにまで広げることができる。左右に拡張した網いけすの骨組みは中部網いけすの内に縮小して戻すことができ、中部網いけすの外に延ばすこともでき、網いけすの面積を拡大することができる。同様に、波力発電システム及び太陽光発電システムも増強することができる。
【００１４】
第４部分は、錨泊設備部分である。平面視して四角形状をした本発明の実施の形態における半潜水式沖合養殖用網いけすの頂部の四隅に、錨泊システムが１セット配置されている。錨泊システムは、ウィンドラス、錨匝、アンカーチェーン、アンカーチェーンチューブ、アンカーチェーン船室、ローラー、ウィンドラス油圧所等を含む。錨泊システムは海上にとどまる際に、まずウィンドラスからアンカーを下ろし、これを海底に打ち込む。具体的に、いくつのアンカーを下ろすべきか、アンカーチェーンをどのくらいの長さにするかについて、水深や風波情况等に基づき確定する。ウィンドラスは養殖用網いけすの頂部の作業員が操作しやすい位置に設置される。
【００１５】
より好ましい実施形態としては、図１から図５は、本発明の実施の形態にかかる波力発電・太陽光発電一体型半潜水式沖合養殖用網いけすの詳細構造を示す図である。骨組み式はしけ１は、縦向き右側筒状フロート１０１、縦向き左側筒状フロート１０２、横向き前端筒状フロート１０３、横向き中部筒状フロート１０４、および横向き後端筒状フロート１０５により構成される。各フロート内部は、複数の独立した調節可能船室に分かれており、内部に水を供給したり排出したりすることで浮力を調節することができる。骨組み式はしけ１は、上方の構造体及び設備等を水中で支持し、海上で浮くための十分な浮力を提供する。骨組み式はしけ１の骨組みの間に、前端板状構造１０６、後端板状構造１０７、前中底部網状構造１０８、および中後底部網状構造１０９が配置される。曳航を容易にするため、縦向き右側筒状フロート１０１の両端と縦向き左側筒状フロート１０２の両端とは、抗力を低減する尖頭の形状に形成されている。骨組み式はしけ１の上部には、縦向きに沿って前方右部弓形支柱２０１、前方左部支柱弓形支柱２０２、前方右部アンカーチェーン船室７０１、前方左部支柱アンカーチェーン船室７０２、前方右部支柱３０１、前方中部支柱３０２、前方左部支柱３０３、中方右部支柱４０１、中心支柱４０２、中方左部支柱４０３、後方右部支柱５０１、後方中部支柱５０２、後方左部支柱５０３、後方右部アンカーチェーン船室８０１、後方左部アンカーチェーン船室８０２、後方右部弓形支柱６０１、及び後方左部弓形支柱６０２が配置されている。各支柱の内部は、複数の独立した調節可能船室に分けられており、内部に水を供給したり排出したりすることで浮力を調節することができる。前方右部弓形支柱２０１と前方左部支柱弓形支柱２０２との間には、前端鷹式波吸収浮体９が取り付けられている。前端鷹式波吸収浮体９は、トラス式スウェイブレース９０１と連結され、ヒンジ１０により前方右部支柱３０１、前方中部支柱３０２、前方左部支柱３０３の間に配置される。後方右部弓形支柱６０１と後方左部弓形支柱６０２との間には、後端鷹式波吸収浮体１７が取り付けられている。後端鷹式波吸収浮体１７は、トラス式スウェイブレース１７１と連結され、ヒンジ１８により後方右部支柱５０１、後方中部支柱５０２、後方左部支柱５０３の間に配置される。前方右部支柱３０１、前方中部支柱３０２、及び前方左部支柱３０３の頂部に、横向きに沿ってはしけ幅に前方横付き頂部船室１２が配置されている。また、中方右部支柱４０１、中心支柱４０２、及び中方左部支柱４０３の頂部に、横向きに沿ってはしけ幅に中方横付き頂部船室１４が配置されている。また、後方右部支柱５０１、後方中部支柱５０２、及び後方左部支柱５０３の頂部に、横向きに沿ってはしけ幅に後方横付き頂部船室１５が配置されている。前端鷹式波吸収浮体９の裏部と前方横付き頂部船室１２との間には、油圧シリンダ１９が取り付けられている。また、前方横付き頂部船室１２には、油圧シリンダ１９のベースを取り付けるためのＡ字型強度構造体が設けられている。後端鷹式波吸収浮体１７の裏部と後方横付き頂部船室１５との間には、油圧シリンダ２８が取り付けられている。また、後方横付き頂部船室１５には、油圧シリンダ２８のベースを取り付けるためのＡ字型強度構造体が設けられている。前方横付き頂部船室１２と中方横付き頂部船室１４との間には、前方右縦頂部船室１３１及び前方左縦頂部船室１３２が配置されている。後方横付き頂部船室１５と中方横付き頂部船室１４との間には、後方右縦頂部船室１３３及び後方左縦頂部船室１３４が配置されている。前方横付き頂部船室１２と前方右部弓形支柱２０１との間には、前方右部弓形連結船室１１１が配置されている。前方横付き頂部船室１２と前方左部支柱弓形支柱２０２との間には、前方左部支柱弓形連結船室１１２が配置されている。後方横付き頂部船室１５と後方右部弓形支柱６０１との間には、後方右部弓形連結船室１５１が配置されている。後方横付き頂部船室１５と後方左部弓形支柱６０２との間には、後方左部弓形連結船室１５２が配置されている。前方横付き頂部船室１２、中方横付き頂部船室１４、後方横付き頂部船室１５、前方右縦頂部船室１３１、前方左縦頂部船室１３２、後方右縦頂部船室１３３、及び後方左縦頂部船室１３４の頂部には、複数のソーラールーム２０と、安全柵２１とが設置されている。また、中方横付き頂部船室１４の中間にマスト２２が配置されている。前方横付き頂部船室１２の左右両側それぞれに、前方右部ウィンドラス２３１、及び前方左部支柱ウィンドラス２３２が配置されている。後方横付き頂部船室１５の左右両側それぞれに、後方右部ウィンドラス２９１、及び後方左部ウィンドラス２９２が配置されている。前方右部ウィンドラス２３１に前方右部アンカーチェーン２４１が配置されている。前方右部アンカーチェーン２４１の一端は、前方右部弓形連結船室１１１と前方右部弓形支柱２０１との内部に取り付けられたアンカーチェーンチューブ２５１を介して上部デッキから縦向き右側筒状フロート１０１の前端に到達し、前方右部ローラー２６１を介して方右部アンカー２７１と連結される。前方右部アンカーチェーン２４１の他端は、前方右部垂直アンカーチェーンチューブ４２１を介して前方右部アンカーチェーン船室７０１内部と連結される。前方左部支柱ウィンドラス２３２に前方左部支柱アンカーチェーン２４２が配置されている。前方左部支柱アンカーチェーン２４２の一端は、前方左部支柱弓形連結船室１１２と前方左部支柱弓形支柱２０２との内部に取り付けられたアンカーチェーンチューブ２５２を介して上部デッキから縦向き左側筒状フロート１０２の前端に到達し、前方左部支柱ローラー２６２を介して前方左部支柱アンカー２７２と連結される。前方左部支柱アンカーチェーン２４２の他端は、前方左部支柱垂直アンカーチェーンチューブ４２２を介して前方左部支柱アンカーチェーン船室７０２内部と連結される。後方右部ウィンドラス２９１に後方右部アンカーチェーン３０１が配置されている。後方右部アンカーチェーン３０１の一端は、後方右部弓形連結船室１５１と後方右部弓形支柱６０１との内部に取り付けられた後方右部アンカーチェーンチューブ４３１を介して上部デッキから縦向き右側筒状フロート１０１の後端に到達し、後方右部ローラー３２１を介して後方右部アンカー３３１と連結される。後方右部アンカーチェーン３０１の他端は、後方右部垂直アンカーチェーンチューブ４３１を介して後方右部アンカーチェーン船室８０１内部と連結される。後方左部ウィンドラス２９２に後方左部アンカーチェーン３０２が配置されている後方左部アンカーチェーン３０２の一端は、後方左部弓形連結船室１５２と後方左部弓形支柱６０２との内部に取り付けられた後方左部アンカーチェーンチューブ４３２を介して上部デッキから縦向き左側筒状フロート１０２の後端に到達し、後方左部ローラー３２２を介して後方左部アンカー３３２と連結される。後方左部アンカーチェーン３０２の他端は、後方左部垂直アンカーチェーンチューブ４３２を介して後方左部アンカーチェーン船室８０２内部と連結される。前方右部支柱３０１、前方中部支柱３０２、横向き前端筒状フロート１０３、および前方横付き頂部船室１２の間にも、前方左部支柱３０３、前方中部支柱３０２、横向き前端筒状フロート１０３、および前方横付き頂部船室１２の間にも、中方右部支柱４０１、中心支柱４０２、横向き前端筒状フロート１０３、および前方横付き頂部船室１２の間にも、中方左部支柱４０３、中心支柱４０２、横向き中部筒状フロート１０４、および中方横付き頂部船室１４の間にも、後方右部支柱５０１、後方中部支柱５０２、横向き後端筒状フロート１０５、および後方横付き頂部船室１５の間にも、後方左部支柱５０３、後方中部支柱５０２、横向き後端筒状フロート１０５、および後方横付き頂部船室１５の間にも、立面網状構造３４が配置されている。
【００１６】
本発明の実施の形態に係る沖合養殖用網いけすの主要構造は骨組みを基本としており、構造は簡単である。主要構造は、ニーズに応じて複数の船室に分けることできる。これにより、構造の安全性と給・排水の制御性とを高めることができる。鷹式波吸収浮体は、網いけすの規模に応じて複数取り付けなければならない。また網いけすの頂部に、小型風力エネルギー発電機、海水淡化設備等を取り付けることもできる。また、船室内に給・排水システム、電気システム、漁業機械設備、および生活施設等が取り付けられる。
【００１７】
本発明の実施の形態に係る波力発電・太陽光発電一体型半潜水式沖合養殖用網いけすは、従来の船舶と同じように造船所で建造できる。構造が簡単であるため、本発明の実施の形態に係る沖合養殖用網いけすを、短期間で大量に建造することができる。本発明の実施の形態に係る半潜水式沖合養殖用網いけすの建造完了後、各種の養殖で必要とする設備、材料、及び飼料が搭載され保存する。そして、半潜水式沖合養殖用網いけすを養殖エリアまで引っ張っていき設置する。設置ステップは次の通りである。まず、アンカーを下ろす。ウィンドラスにより、アンカーチェーンを設定した長さまで緩めた後、アンカーチェーンを固定する。給・排水システムにより、下から上に向かって徐々に主体構造船室内に注水する。本発明の実施の形態に係る半潜水式沖合養殖用網いけすが徐々に沈み設定した水位にまで潜水すれば、バランスを微調整し、停止向バラスト船室への注水を停止する。養殖に使用できる状態とした後、各種養殖作業をステップに応じて実行することができる。本発明の実施の形態に係る半潜水式沖合養殖用網いけすの建造完了後、太陽光エネルギーは発電作業を開始し、本発明の実施の形態に係る半潜水式沖合養殖用網いけすが設計した水位まで潜水すると、波力発電システムは同時に発電を開始する。もし本発明の実施の形態に係る半潜水式沖合養殖用網いけすが、設置場所を変更する必要が生じ、または高潮等を生じさせる台風等が来る前に設置場所を変更しなければならない場合、給・排水システムにより上から下に向かって徐々にバラスト船室内の水を吸い込み、本発明の実施の形態における半潜水式沖合養殖用網いけすを徐々に水面に浮かす。そして、半潜水式沖合養殖用網いけすを引っ張り移動させることで、危険を回避することができる。もし装置内部にスクリューを取り付ければ、本発明の実施の形態に係る半潜水式沖合養殖用網いけすを自航させることができる。
【００１８】
本発明の実施の形態に係る波力発電・太陽光発電一体型半潜水式沖合養殖用網いけすは、図９、１０に示すように単独で使用することができるし、複数を一つに連結して多体養殖場として使用することもできる。
【００１９】
本発明の実施の形態に係る波力発電・太陽光発電一体型半潜水式沖合養殖用網いけすは、まったく新しい沖合養殖用網いけすであり、現在類似するいけすはまだ見られない。本発明の開発と応用の成功は、海洋養殖業に先進的な養殖設備を提供し、大きな経済的な利益を生む。さらに、海上養殖業を大きく発展させ、その意義は非常に大きい。
【００２０】
以上の実施の形態は単に本発明の技術的解決手段を説明するためのものに過ぎず、それを制限するものではない。本発明に対する同等の交換または修正は、本案の権利請求および同等の技術範囲内に属する。
【００２１】
（付記）
（付記１）
半潜水式船体主構造、養殖用網いけす構造、再生可能エネルギー発電システム、および錨泊システムを含み、
前記半潜水式船体主構造は、前記養殖用網いけす構造と前記再生可能エネルギー発電システムと前記錨泊システムとを支持し、かつ、複数の船室を含み、各船室内部のバラスト水量が調節されることにより浮沈し、
前記養殖用網いけす構造は、立面網状構造と底部網状構造とを含み、前記立面網状構造と前記底部網状構造とは、前記半潜水式船体主構造上に連結されており、底面と立面とはあるが上面はない網いけすを形成し、
前記再生可能エネルギー発電システムは、波力発電システムと太陽光発電システムとを含み、前記波力発電システムは前記半潜水式船体主構造の前端及び後端に設置され、前記太陽光発電システムは、前記半潜水式船体主構造の頂部に設置され、
前記錨泊システムは、前記半潜水式船体主構造の頂部の四隅に設置される、
ことを特徴とする波力発電・太陽光発電一体型半潜水式沖合養殖用網いけす。
【００２２】
（付記２）
前記半潜水式船体主構造は、骨組み式はしけ（１）を含み、前記骨組み式はしけ（１）は、縦向き右側筒状フロート（１０１）と、縦向き左側筒状フロート（１０２）と、横向き前端筒状フロート（１０３）と、横向き中部筒状フロート（１０４）と、横向き後端筒状フロート（１０５）とを含み、前記骨組み式はしけ（１）の骨組みの間に前端板状構造（１０６）と後端板状構造（１０７）が設けられ、前記縦向き右側筒状フロート（１０１）の両端及び前記縦向き左側筒状フロート（１０２）の両端は、抗力を低減する尖頭の形状に形成されており、
前記骨組み式はしけ（１）の上部に縦向きに沿って前方右部弓形支柱（２０１）、前方左部支柱弓形支柱（２０２）、前方右部支柱（３０１）、前方中部支柱（３０２）、前方左部支柱（３０３）、中方右部支柱（４０１）、中心支柱（４０２）、中方左部支柱（４０３）、後方右部支柱（５０１）、後方中部支柱（５０２）、後方左部支柱（５０３）、後方右部弓形支柱（６０１）、および後方左部弓形支柱（６０２）が設けられ、各フロート及び各支柱の内部を複数の独立した調節可能船室に分け、内部の水量を給水又は排水して調整することにより、浮力を調節し、
前記前方右部支柱（３０１）、前記前方中部支柱（３０２）、前記前方左部支柱（３０３）の頂部に横向きに沿って前記骨組み式はしけ（１）幅に前方横付き頂部船室（１２）が設けられ、前記中方右部支柱（４０１）、前記中心支柱（４０２）、及び前記中方左部支柱（４０３）の頂部に横向きに沿って骨組み式はしけ（１）幅に中方横付き頂部船室（１４）が設けられ、前記後方右部支柱（５０１）、前記後方中部支柱（５０２）、及び前記後方左部支柱（５０３）の頂部に横向きに沿って骨組み式はしけ（１）幅に後方横付き頂部船室（１５）が設けられ、
前記前方横付き頂部船室（１２）と前記中方横付き頂部船室（１４）との間に前方右縦頂部船室（１３１）と前方左縦頂部船室（１３２）とが設けられ、前記後方横付き頂部船室（１５）と前記中方横付き頂部船室（１４）との間に後方右縦頂部船室（１３３）と後方左縦頂部船室（１３４）とが設けられ、前記前方横付き頂部船室（１２）と前記前方右部弓形支柱（２０１）との間に前方右部弓形連結船室（１１１）が設けられ、前記前方横付き頂部船室（１２）と前記前方左部支柱弓形支柱（２０２）との間に前方左部支柱弓形連結船室（１１２）が設けられ、前記後方横付き頂部船室（１５）と前記後方右部弓形支柱（６０１）との間に後方右部弓形連結船室（１５１）が設けられ、前記後方横付き頂部船室（１５）と前記後方左部弓形支柱（６０２）との間に後方左部弓形連結船室（１５２）が設けられる、
ことを特徴とする付記１に記載の波力発電・太陽光発電一体型半潜水式沖合養殖用網いけす。
【００２３】
（付記３）
前記養殖用網いけす構造は、前記立面網状構造（３４）と、前記底部網状構造（１０８）と、前記底部網状構造（１０９）とを含み、
骨組み式はしけ（１）の底部骨組みの間に底部網状構造（１０８）及び底部網状構造（１０９）が設けられており、
前記前方右部支柱（３０１）、前記前方中部支柱（３０２）、前記横向き前端筒状フロート（１０３）、および前記前方横付き頂部船室（１２）の間にも、前記前方左部支柱（３０３）、前記前方中部支柱（３０２）、前記横向き前端筒状フロート（１０３）、および前記前方横付き頂部船室（１２）の間にも、前記中方右部支柱（４０１）、前記中心支柱（４０２）、前記横向き前端筒状フロート（１０３）、および前記前方横付き頂部船室（１２）の間にも、前記中方左部支柱（４０３）、前記中心支柱（４０２）、前記横向き中部筒状フロート（１０４）、および前記中方横付き頂部船室（１４）の間にも、前記後方右部支柱（５０１）、前記後方中部支柱（５０２）、前記横向き後端筒状フロート（１０５）、および前記後方横付き頂部船室（１５）の間にも、前記後方左部支柱（５０３）、前記後方中部支柱（５０２）、前記横向き後端筒状フロート（１０５）、および前記後方横付き頂部船室（１５）の間にも、前記立面網状構造（３４）が設けられている、
ことを特徴とする付記２に記載の波力発電・太陽光発電一体型半潜水式沖合養殖用網いけす。
【００２４】
（付記４）
前記波力発電システムは、前端鷹式波吸収浮体（９）と、トラス式スウェイブレース（９０１）と、ヒンジ（１０）と、後端鷹式波吸収浮体（１７）と、トラス式スウェイブレース（１７１）と、ヒンジ（１８）と、油圧シリンダ（１９）と、油圧シリンダ（２８）とを含み、
前記前方右部弓形支柱（２０１）と前記前方左部支柱弓形支柱（２０２）との間に前記前端鷹式波吸収浮体（９）が設けられ、前記前端鷹式波吸収浮体（９）は、前記トラス式スウェイブレース（９０１）と連結され、前記ヒンジ（１０）を介して前記前方右部支柱（３０１）と、前記前方中部支柱（３０２）と、前記前方左部支柱（３０３）との間に設けられ、前記後方右部弓形支柱（６０１）と前記後方左部弓形支柱（６０２）との間に前記後端鷹式波吸収浮体（１７）が設けられ、前記後端鷹式波吸収浮体（１７）は、前記トラス式スウェイブレース（１７１）に連結され、前記ヒンジ（１８）を介して前記後方右部支柱（５０１）と、前記後方中部支柱（５０２）と、前記後方左部支柱（５０３）との間に設けられ、
前記前端鷹式波吸収浮体（９）の裏部と前記前方横付き頂部船室（１２）との間に前記油圧シリンダ（１９）が設けられ、前記前方横付き頂部船室（１２）には、前記油圧シリンダ（１９）のベースを取り付けるためのＡ字型強度構造体が設けられ、前記後端鷹式波吸収浮体（１７）の裏部と前記後方横付き頂部船室（１５）との間に前記油圧シリンダ（２８）が設けられ、前記後方横付き頂部船室（１５）には、前記油圧シリンダ（２８）のベースを取り付けるためのＡ字型強度構造体が設けられている、
ことを特徴とする付記３に記載の波力発電・太陽光発電一体型半潜水式沖合養殖用網いけす。
【００２５】
（付記５）
前記太陽光発電システムは、複数のソーラールーム（２０）と、安全柵（２１）と、マスト（２２）とを含み、
前記前方横付き頂部船室（１２）、前記中方横付き頂部船室（１４）、前記後方横付き頂部船室（１５）、前記前方右縦頂部船室（１３１）、前記前方左縦頂部船室（１３２）、前記後方右縦頂部船室（１３３）、及び前記後方左縦頂部船室（１３４）の頂部には、横向きに沿って複数の前記ソーラールーム（２０）と、前記安全柵（２１）とが設置されており、前記中方横付き頂部船室（１４）の中間に前記マスト（２２）が設けられている、
ことを特徴とする付記４に記載の波力発電・太陽光発電一体型半潜水式沖合養殖用網いけす。
【００２６】
（付記６）
前記錨泊システムは、前方右部ウィンドラス（２３１）と、前方左部支柱ウィンドラス（２３２）と、後方右部ウィンドラス（２９１）と、後方左部ウィンドラス（２９２）と、前方右部アンカーチェーン（２４１）と、アンカーチェーンチューブ（２５１）と、前方右部ローラー（２６１）と、前方右部アンカー（２７１）と、前方右部垂直アンカーチェーンチューブ（４２１）と、前方右部アンカーチェーン船室（７０１）と、前方左部支柱アンカーチェーン（２４２）と、アンカーチェーンチューブ（２５２）と、前方左部支柱ローラー（２６２）と、前方左部支柱アンカー（２７２）と、前方左部支柱垂直アンカーチェーンチューブ（４２２）と、前方左部支柱アンカーチェーン船室（７０２）と、後方右部アンカーチェーン（３０１）と、後方右部アンカーチェーンチューブ（４３１）と、後方右部ローラー（３２１）と、後方右部アンカー（３３１）と、後方右部垂直アンカーチェーンチューブ（４３１）と、後方右部アンカーチェーン船室（８０１）と、後方左部アンカーチェーン（３０２）と、後方左部アンカーチェーンチューブ（４３２）と、後方左部ローラー（３２２）と、後方左部アンカー（３３２）と、後方左部垂直アンカーチェーンチューブ（４３２）と、後方左部アンカーチェーン船室（８０２）と、を含み、
前記前方横付き頂部船室（１２）の左右両側それぞれに前記前方右部ウィンドラス（２３１）、及び前方左部支柱ウィンドラス（２３２）が設けられ、前記後方横付き頂部船室（１５）の左右両側それぞれに前記後方右部ウィンドラス（２９１）、及び後方左部ウィンドラス（２９２）が設けられ、前記前方右部ウィンドラス（２３１）に前記前方右部アンカーチェーン（２４１）が配置され、前記前方右部アンカーチェーン（２４１）の一端は、前方右部弓形連結船室（１１１）と前記前方右部弓形支柱（２０１）との内部に取り付けられた前記アンカーチェーンチューブ（２５１）を介して上部デッキから前記縦向き右側筒状フロート（１０１）の前端に到達し、前記前方右部ローラー（２６１）を介して前記前方右部アンカー（２７１）と連結され、前記前方右部アンカーチェーン（２４１）の他端は、前記前方右部垂直アンカーチェーンチューブ（４２１）を介して前記前方右部アンカーチェーン船室（７０１）内部と連結され、前記前方左部支柱ウィンドラス（２３２）に前記前方左部支柱アンカーチェーン（２４２）が配置され、前記前方左部支柱アンカーチェーン（２４２）の一端は、前記前方左部支柱弓形連結船室（１１２）と前記前方左部支柱弓形支柱（２０２）との内部に取り付けられた前記アンカーチェーンチューブ（２５２）を介して上部デッキから前記縦向き左側筒状フロート（１０２）の前端に到達し、前記前方左部支柱ローラー（２６２）を介して前記前方左部支柱アンカー（２７２）と連結され、前記前方左部支柱アンカーチェーン（２４２）の他端は、前記前方左部支柱垂直アンカーチェーンチューブ（４２２）を介して前記前方左部支柱アンカーチェーン船室（７０２）内部と連結され、前記後方右部ウィンドラス（２９１）に前記後方右部アンカーチェーン（３０１）が配置され、前記後方右部アンカーチェーン（３０１）の一端は、前記後方右部弓形連結船室（１５１）と前記後方右部弓形支柱（６０１）との内部に取り付けられた前記後方右部アンカーチェーンチューブ（４３１）を介して上部デッキから前記縦向き右側筒状フロート（１０１）の後端に到達し、前記後方右部ローラー（３２１）を介して前記後方右部アンカー（３３１）と連結され、前記後方右部アンカーチェーン（３０１）の他端は、前記後方右部垂直アンカーチェーンチューブ（４３１）を介して前記後方右部アンカーチェーン船室（８０１）の内部と連結され、前記後方左部ウィンドラス（２９２）に前記後方左部アンカーチェーン（３０２）が配置され、前記後方左部アンカーチェーン（３０２）の一端は、前記後方左部弓形連結船室（１５２）と前記後方左部弓形支柱（６０２）との内部に取り付けられた前記後方左部アンカーチェーンチューブ（４３２）を介して上部デッキから前記縦向き左側筒状フロート（１０１）の後端に到達し、前記後方左部ローラー（３２２）を介して前記後方左部アンカー（３３２）と連結され、前記後方左部アンカーチェーン（３０２）の他端は、前記後方左部垂直アンカーチェーンチューブ（４３２）を介して前記後方左部アンカーチェーン船室（８０２）の内部と連結される、
ことを特徴とする付記５に記載の波力発電・太陽光発電一体型半潜水式沖合養殖用網いけす。
【図１】
0006503090.tif 000002
【図２】
0006503090.tif 000003
【図３】
0006503090.tif 000004
【図４】
0006503090.tif 000005
【図５】
0006503090.tif 000006
【図６】
0006503090.tif 000007
【図７】
0006503090.tif 000008
【図８】
0006503090.tif 000009
【図９】
0006503090.tif 000010